(57)【要約】  中空で取外し可能な蓋を含む容器。容器は、実質的に中空の室内を囲い、該室内と流体で連通する口を有する基部と、実質的に中空の貯蔵部を囲い、該貯蔵部、および、開口を取外し可能に密閉するストッパーと、流体で連通する前記開口を有する取外し可能な蓋と、を備え、前記蓋の部分は、前記基部の口内で受けられ、前記蓋の開口は前記口を介して受けられ、かつ、耐液性シールが前記基部と前記蓋の部分との間に形成されている。
2014534137.tif 000002
【特許請求の範囲】
【請求項１】
中空で取外し可能な蓋を含む容器であって、
実質的に中空の室内を囲い、該室内と流体で連通する口を有する基部と、
実質的に中空の貯蔵部を囲い、該貯蔵部、および、開口を取外し可能に密閉するストッパーと、流体で連通する前記開口を有する取外し可能な蓋と、
を備え、
前記蓋の部分は、前記基部の口内で受けられ、前記蓋の開口は前記口を介して受けられ、かつ、耐液性シールが前記基部と前記蓋の部分との間に形成されている容器。
【請求項２】
請求項１の容器であって、
前記蓋は、更に、前記貯蔵部と流体で連通する実質的に中空のネックを有し、
前記ネックは前記基部の口内で受けられる大きさで形成されており、
耐液性シールが前記基部と前記ネックとの間に形成されており、
前記開口は、前記ネックの端に配置されている容器。
【請求項３】
請求項１の容器であって、
前記ストッパーが前記蓋の開口から取り外され、前記蓋の部分が前記基部の口内に配置されたとき、前記基部の室内は前記蓋の貯蔵部と流体で連通する容器。
【請求項４】
請求項１の容器であって、
前記蓋は、更に、少なくとも１つの第２の開口と、前記少なくとも１つの第２の開口を取外し可能に密閉する第２のストッパーと、を有する容器。
【請求項５】
請求項４の容器であって、
前記ストッパーが前記蓋の開口から取外され、前記蓋の部分が前記基部の口内に配置されたとき、前記基部の室内は前記蓋の貯蔵部および前記少なくとも１つの第２の開口と流体で連通する容器。
【請求項６】
請求項１の容器であって、
前記耐液性シールは、前記基部と前記ストッパーとの間に形成されている容器。
【請求項７】
請求項１の容器であって、
前記容器は、装飾的な形状で形成されている容器。
【請求項８】
請求項１の容器であって、
前記容器は、音楽器具の形状で形成されている容器。
【請求項９】
請求項１の容器であって、
前記容器は、ギターの形状で形成されている容器。
【請求項１０】
中空で取外し可能な蓋を含む容器であって、
実質的に中空の室内を囲い、該室内、および、第１のネックの末端に配置された口と、流体で連通する実質的に中空の前記第１のネックを有する基部と、
実質的に中空の貯蔵部を囲い、該貯蔵部、第２のネックの末端に配置された開口、および、前記開口を取外し可能に密閉するストッパーと、流体で連通する、実質的に中空の前記第２のネックを有する取外し可能な蓋と、
を備え、
前記第２のネックの末端は、前記第１のネックの末端内に受けられている容器。  
【請求項１１】
請求項１０の容器であって、
耐液性シールが前記第１のネックと前記第２のネックとの間に形成されている容器。
【請求項１２】
請求項１０の容器であって、
耐液性シールが前記第１のネックと前記ストッパーとの間に形成されている容器。
【請求項１３】
請求項１０の容器であって、
前記ストッパーが前記第２のネックの開口から取外され、前記第２のネックが前記第１のネック内に配置されたとき、前記基部の室内は前記蓋の貯蔵部と流体で連通する容器。
【請求項１４】
請求項１の容器であって、
前記蓋は、更に、少なくとも１つの第２の開口と、
前記少なくとも１つの第２の開口を取外し可能に密閉する第２のストッパーと、を有る容器。
【請求項１５】
請求項１４の容器であって、
前記ストッパーが、前記第２のネックの開口から取外され、前記第２のネックが前記第１のネック内に配置されたとき、前記基部の室内は、前記蓋の貯蔵部および前記少なくとも１つの第２の開口と流体で連通する容器。
【請求項１６】
請求項１の容器であって、
前記容器は、装飾的な形状で形成されている容器。
【請求項１７】
請求項１の容器であって、
前記容器は、音楽器具の形状で形成さている容器。
【請求項１８】
請求項１の容器であって、
前記容器は、ギターの形状で形成されている容器。
【発明の詳細な説明】
【背景技術】
【０００１】
容器は、広範に液体を保存及び運搬するための器として用いられている。
【発明の概要】
【発明が解決しようとする課題】
【０００２】
容器は、一般に単一の種類の液体を保存するための単一の内部室を含んでおり、その容器内に液体を維持するためにコルク、栓、ふた、のようなシールが典型的に設けられている。そのようなシールは、主に実用的なものであり、付加の液体を別に保存のための室を与えるものではない。
【課題を解決するための手段】
【０００３】
少なくとも１つの実施例に従って、中空で取外し可能な蓋を含む容器が開示されている。前記容器は、実質的に中空の室内を囲う基部と、実質的に中空の貯蔵部を囲う取外し可能な蓋と、を含むことができる。前記基部は、前記室内と流体で連通する口を含むことができ、前記取外し可能な蓋は前記貯蔵部、および、前記開口を取外し可能に密閉するストッパーと、流体で連通する開口を含むことができる。前記蓋の部分は、前記基部の口内に受けられ、前記蓋の開口は、前記口を介して受けられ、耐液性シールが前記基部と前記蓋の部分との間に形成されている。
本発明の実施形態の効果は、次の実施例の詳細な説明により明らかになるであろう。次の詳細な説明は添付された図面と併せて考慮すべきである。
【図面の簡単な説明】
【０００４】
【図１ａ】図１ａは、中空で取外し可能な蓋を含む容器の実施例を等側に見た図である。
【図１ｂ】図１ｂは、容器のための中空で取外し可能な蓋の実施例を等側に見た図である。
【図２ａ】図２ａは、中空で取外し可能な蓋を含む容器の実施例の断面図である。
【図２ｂ】図２ｂは、中空で取外し可能な蓋を含む容器の別の実施例の一部断面図である。
【図２ｃ】図２ｃは、中空で取外し可能な蓋を含む容器の別の実施例の一部断面図である。
【図３】図３は、ストッパーが取り外された中空で取外し可能な蓋を含む容器の実施例の断面図である。
【発明を実施するための形態】
【０００５】
本発明の各局面は、本発明の特定の実施形態に導く次の記述及び関連する図面に開示されている。代替えの実施形態は、本発明の精神及び範囲から逸脱せずに工夫されてもよい。さらに、本発明の具体例の周知な要素は、詳細に記述され、あるいは、本発明の関連する詳細を不明瞭にしないように省略されるであろう。さらに、記述の理解を容易にするために、ここで使用されるいくつかの用語の考察が続く。
【０００６】
ここで使用されているように、“例”という語は“例、実例、あるいは、例証として働く”という意味である。ここで記述された実施形態は限定されず、むしろ単なる例である。その記述された実施形態は、必ずしも、他の実施の形態より好まれ、あるいは有利なものとして解釈されものではないと、理解されるべきである。さらに、“本発明の実施形態”、“実施形態”、又は“発明”なる用語は、本発明の全実施形態が考察された特徴、利点、又は動作モードを含む、ことを要求するものではない。
【０００７】
一般に、図１ａ乃至３を参照して、中空の蓋１００を有する、容器、あるいは、他の種類のコンテナ、あるいは、閉じ込め器が開示されてもよい。容器１００は、基部１０２と、中空蓋１５０とを含んでいてもよい。容器１００は、どのような最切な材料、あるいは、材料の組合せ、例えば、ガラス、プラスチック、金属など、から形成されてもよい。容器１００は、さらに、どのような所望の形状を有していてもよく、装飾的なあるいは新規な形状であってもよい。説明された実施形態では、容器１００は、音楽器具、例えば、ギター、として形成されてもよい。；しかしながら、容器１００がここで説明されるように機能する形状が熟慮され、望まれるように設けられているかもしれない。容器１００、あるいは、そのどの部分も透明、半透明、あるいは、不透明であってもよい。中空蓋１５０は、基部１０２から完全に分離可能であり、あるいは、部分的に分離可能であり、かつ、ヒンジ、ジョイント、あるいは他のどの適切な連結によって基部１０２に連結されていてもよい。
【０００８】
基部１０２は、実質的に中空室内１０３を含んでいてもよく、そこに、液体、例えば、酒又は、液体又は流体特性を有する他のどの所望の液体又は物質、のような飲用に適した液体が、配置されていてもよい。このように、どのような種類の、材料、固体、液体、あるいは気体が容器１００内に収容されていてもよいことが想像される。例えば、固体材料、それに限定されないが、砂、飴のようなものが、所望のように、容器１００内に収容されていてもよい。基部１０２は、さらに、口１０４を含んでいてもよい。液体がその口１０４を介して、入れられ、あるいは抜かれてもよい。いくつかの実施形態では、基部１０２は、ネック１０６を含んでいても良い。口１０４は、ネック１０６の端に配置されていてもよい。
【０００９】
中空蓋１５０は、貯蔵部１５２とネック１５６とを含んでいても良い。貯蔵部１５２及びネック１５６の両方は、実質的に中空でかつ相互に通じていてもよい。どのような所望の液体が、中空蓋１５０の貯蔵部及びネック内に配置されていてもよい。中空蓋１５０内に配置された液体は、持ち運び可能な液体であっても良く、基部１０２内に配置された液体と異なるものであってもよい。また、他のどのような材料、固体、液体、或いは気体が、望まれるように中空蓋内に収容されていてもよい。中空蓋１５０は、さらに、開口１５４を含んでいても良い。開口１５４を介して、液体は入れられ、あるいは抜かれても良い。いくつかの実施形態では、開口１５４は、ネック１５６の端に配置されていてもよい。
【００１０】
中空蓋１５０のネック１５６は、基部１０２の口１０４内に嵌合するような大きさで形成されていてもよい。そのために、ネック１５６の外周は、実質的に口１０４の内周に類似していてもよい。いくつかの実施例では、図２ａに示すように、ネック１５６が口１０４内に配置されたとき、耐液性シール又は耐気性シールが、例えば摩擦結合を介して、ネック１５６と口１０４との間に生成されてもよい。他の実施例では、シールリング等のようなシール要素１５８が設けられ、図２ｂに示すような耐液性シールを形成しあるいは高めても良い。そのようなシール要素は、口１０４内、ネック１５６周り、又はその両方に配置されてもよい。そのようなシール要素は、どのような適切な材料、例えば、ゴム、プラスチック、重合体材料など、から形成されてもよい。いくつかの実施例では、ネック１５６及び口１０４は、ねじ山が形成され、ネック１５６と口１０４との間のねじ係合によって密閉がなされてもよい。
【００１１】
図２ａ乃至２ｂに示すように、ネック１５６の開口１５４は、ストッパー１６０を含んでいてもよい。ストッパー１６０は、どのような適切なシール、例えば、詰め物、せん、キャップ、コルク、などであってもよく、どのような適切な材料から形成されてもよい。取外し可能なシール１６０は、ネック１５６の開口１５４の内周内に嵌合するような大きさいで形成されてもよく、ネック１５６の外周周りに配置されてもよい。いくつかの実施例では、耐液性シールが、例えば、摩擦結合を介して、ネック１５６とストッパー１６０との間に生成されてもよい。他の実施例では、ストッパー１６０及びネック１５６は、ねじ山が形成され、ネック１５６とストッパー１６０との間のねじ係合によって密閉がなされてもよい。
【００１２】
いくつかの実施例では、中空蓋１５０は、その表面に第２の開口１６２を含んでいてもよい。その第２の開口は、貯蔵部１５２に連通していてもよい。第２の開口１６２に第２のストッパー１６４が設けられても良い。第２のストッパー１６４は、どのような適切な種類のシール、例えば、詰め物、せん、キャップ、コルクなど、あるいはその組合せであってもよく、どのような適切な材料から形成されてもよい。第２の開口１６２は、中空蓋１５０を空にするあるいは液体で満たすための代替えの路を与えてもよい。いくつかの実施例では、第２のストッパー１６４は、装飾的なあるいはシミュレーションの要素として、中空蓋１５０の全体デザインの部分として、形成されてもよい。第２のストッパー１６４は、代替え的に、どのような所望の材料、例えば、容器１００、基部１０２、又は蓋１５０の材料、から形成されてもよい。また、シールリング等のような付加のシール要素１６６が設けられ、第２の開口１６２と第２のストッパー１６４との間の耐液性シールを形成しあるいは高めても良い。
【００１３】
他の実施例では、図２ｃに示すように、二重のストッパー１６８が、中空蓋１５０の口１０４及び開口１５４の両方を密閉するのを容易にしてもよい。そのために、二重のストッパー１６８は、取外し可能に口１０４及びネック１５６の両方に連結されてもよく、二重のストッパー１６８と開口１５４との間の取外し可能な連結は、二重のストッパー１６８と口１０４との間の取外し可能な連結よりも強くても良い。したがって、中空蓋１５０及び二重のストッパー１６８は、二重のストッパー１６８と開口１５４との間の連結を邪魔することなく、口１０４から取外され得る。；二重のストッパー１６８は、続いて、二重のストッパー１６８を開口１５４から切離すことができる。そのために、限定されない例として、二重のストッパー１６８と口１０４との間の連結は摩擦連結であってもよく、一方、二重のストッパー１６８と開口１５４との間の連結はねじ連結であってもよい。
【００１４】
操作の中で、ユーザは、基部１０２から中空蓋１５０を分離し、基部１０２内に配置された液体を口１０４を介して抜けるようにしてもよく、あるいは、液体を基部１０２内に入れるようにしてもよい。続いて、ユーザは、中空蓋１５０の開口１５４からストッパー１６０を引き抜き、中空蓋１５０内に配置された液体を抜くように、あるいは、液体を中空蓋１５０の貯蔵部１５２に入れるようにしてもよい。ユーザはまた、第２の開口１６２から第２のシール１６４を取り外し、液体が中空蓋１５０内にあるいは液体が中空蓋１５０から外に移動するための代替えの路を与えても良い。
【００１５】
いくつかの実施例では、中空蓋１５０は基部１０２の口１０４内に配置され、ストッパー１６０が中空蓋１５０の開口１５４になくても良い。そのような配置において、基部１０２の室内１０３は、中空蓋１５０の貯蔵部１５２と流体で連通し、ネック１５６と口１０４との間の耐液性シールが維持されていてもよい。図３に示すように、ユーザは、そのとき、第２の開口１６２を利用して、液体を貯蔵部１５２及び基部１０２の室内１０３の両方の中に移動させ、あるいは、その両方から外に移動させてもよい。第２の開口１６２はまた、空気の路を与え、そこから液体が注がれる間、容器１００内の空気圧を均一にしてもよい。
【００１６】
前述の説明及び添付する図は、本発明の原理、好ましい実施形態、及び動作モードを説明している。しかしながら、本発明は、上記述べた特定の実施形態に限定されないものとして解釈されるべきである。上述した実施形態の付加的な変更は当業者によって認識されるであろう。
【００１７】
したがって、上述した実施形態は、限定的というよりは例示的として考えられるべきである。すなわち、これら実施形態に対する変更は、次の請求項によって定義されるように、本発明の範囲から逸脱させずに、当業者によってなされ得るものであるということを認識すべきである。
【図１ａ】
2014534137.tif 000003
【図１ｂ】
2014534137.tif 000004
【図２ａ】
2014534137.tif 000005
【図２ｂ】
2014534137.tif 000006
【図２ｃ】
2014534137.tif 000007
【図３】
2014534137.tif 000008
【国際調査報告】
2014534137.tif 000009
2014534137.tif 000010